(57)【特許請求の範囲】
【請求項１】
その内部を冷媒が流れる熱交換器と、室内の空気を取り込んで前記熱交換器に向けて風を送る送風機と、前記熱交換器へ流入する冷媒又は前記熱交換器から流出する冷媒の温度を検知する液管サーミスタと、前記熱交換器、前記送風機及び前記液管サーミスタを収容する形状を有するケーシングと、を備える天井吊下型の室内機であって、
前記熱交換器へ流入する冷媒又は前記熱交換器から流出する冷媒の圧力を低下させる複数のキャピラリーチューブからなるチューブ束と、このチューブ束に取り付けられた防振部材とをさらに備え、
前記ケーシングは、前記送風機によって生ずる気流が前記熱交換器を経由して側方に吹き出すように側方に開口する吹出口を有し、
前記液管サーミスタは、前記送風機によって生ずる気流における前記防振部材よりも下流側に位置する室内機。
【請求項２】
請求項１に記載の室内機において、
前記チューブ束のうちの一つのキャピラリーチューブと前記熱交換器の端部との間を接続する接続管をさらに備え、この接続管は、前記気流における前記防振部材よりも下流側の位置で前記液管サーミスタを支持する支持部を有する室内機。
【請求項３】
請求項１又は２に記載の室内機において、
前記防振部材は、前記液管サーミスタよりも大きな面積を有して当該液管サーミスタに近接配置される遮蔽部を有し、この遮蔽部は、前記液管サーミスタの周囲を部分的に取り囲む形状を有する室内機。
【請求項４】
請求項１ないし３のいずれか１項に記載の室内機において、
前記液管サーミスタの周囲を覆う形状の断熱材をさらに備える室内機。
【発明の詳細な説明】
【技術分野】
【０００１】
本発明は、空気調和装置における室内機に関し、特に、天井吊下型や天井埋込型の室内機に関するものである。
【背景技術】
【０００２】
従来、空気調和装置における天井埋込型の室内機として、例えば下記特許文献１に示すものが知られている。この特許文献１に記載の室内機は、ケーシングの下面中央部から室内の空気を吸い込み、その空気を熱交換器で熱交換させた後、ケーシング下面に設けられた四つの吹出口から風を吹き出すものである。この室内機は、その内部を冷媒が流れる熱交換器と、室内の空気を取り込んで前記熱交換器に向けて送る送風機と、前記熱交換器へ流入する冷媒又は前記熱交換器から流出する冷媒の温度を検知する液管サーミスタとを備える。
【先行技術文献】
【特許文献】
【０００３】
【特許文献１】特開２００１−３２４１９１号公報
【発明の概要】
【発明が解決しようとする課題】
【０００４】
上記文献１に記載される室内機の液管サーミスタは、送風機から送られる風が直接当たる位置に取り付けられているため、その風の温度の影響を受ける。そのため、その風の温度によっては、熱交換器へ流入する冷媒又は熱交換器から流出する冷媒の温度を正確に検知することができない場合がある。例えば、液管サーミスタが検知しようとする冷媒の温度よりも、室内から取り込まれて送風機から送られる風の温度が高い場合、この液管サーミスタは、実際の冷媒の温度よりも高い値を示す。
【０００５】
この発明は、上記のような課題を解決するためになされたものであり、液管サーミスタの検知精度を向上させることを目的とする。
【課題を解決するための手段】
【０００６】
前記課題を解決するための手段として、本発明は、その内部を冷媒が流れる熱交換器と、室内の空気を取り込んで前記熱交換器に向けて風を送る送風機と、前記熱交換器へ流入する冷媒又は前記熱交換器から流出する冷媒の温度を検知する液管サーミスタとを備える室内機であって、前記熱交換器へ流入する冷媒又は前記熱交換器から流出する冷媒の圧力を低下させる複数のキャピラリーチューブからなるチューブ束と、このチューブ束に取り付けられた防振部材とをさらに備え、前記液管サーミスタは、前記送風機によって生ずる気流における前記防振部材よりも下流側に位置する室内機を提供する。
【０００７】
この発明の室内機によれば、前記送風機から送られる風が前記液管サーミスタに至るのが遮られることにより、前記液管サーミスタに対する前記風の温度の影響が低下するので、当該液管サーミスタの検知精度を向上させることができる。さらに、本発明では、部品点数が削減されるとともに、各部材を省スペースで効率よく配置することが可能となる。具体的には、この発明の室内機は、各キャピラリーチューブの振動を抑制するための防振部材を備えており、前記液管サーミスタが前記送風機によって生ずる気流における前記防振部材よりも下流側に位置する。よって、前記送風機から送られる風が前記液管サーミスタに直接当たることが抑制されるので、前記液管サーミスタの検知精度が向上する。つまり、本発明では、前記気流を遮るための部材として、各キャピラリーチューブの振動を抑制するための防振部材を用いる。換言すれば、本発明では、前記防振部材が、各キャピラリーチューブの振動を抑制させる機能と、前記気流が前記液管サーミスタへ至ることを遮る風除けの機能とを兼用するので、前記防振部材とは別に前記気流を遮るための部材を用いる必要がない。その結果、部品点数が削減されるとともに、各部材を省スペースで効率よく配置することが可能となる。
【０００８】
この場合において、前記チューブ束のうちの一つのキャピラリーチューブと前記熱交換器の端部との間を接続する接続管をさらに備え、この接続管は、前記気流における前記防振部材よりも下流側の位置で前記液管サーミスタを支持する支持部を有することが好ましい。
【０００９】
このようにすれば、前記液管サーミスタを前記気流における前記防振部材よりも下流側の位置に保持することが容易となる。また、前記接続管が支持部を有することから、この液管サーミスタの取り付けが容易となる。
【００１０】
また、本発明において、前記防振部材は、前記液管サーミスタよりも大きな面積を有して当該液管サーミスタに近接配置される遮蔽部を有し、この遮蔽部は、前記液管サーミスタの周囲を部分的に取り囲む形状を有することが好ましい。
【００１１】
このようにすれば、前記防振部材は、前記送風機からの気流が前記液管サーミスタに到達するのを一層遮ることができる。具体的に、前記防振部材の前記遮蔽部は、前記液管サーミスタに近接配置されて当該液管サーミスタの周囲を部分的に取り囲む形状を有するので、前記気流が前記液管サーミスタに到達することが抑制される。その結果、前記液管サーミスタの検知精度がより向上する。
【００１２】
また、本発明において、前記液管サーミスタの周囲を覆う形状の断熱材をさらに備えることが好ましい。
【００１３】
このようにすれば、前記送風機から前記液管サーミスタへ至る気流が、前記防振部材と前記断熱材とにより遮られるので、当該液管サーミスタの検知精度を一層向上させることができる。
【発明の効果】
【００１４】
以上のように、本発明によれば、液管サーミスタの検知精度を向上させることができる。
【図面の簡単な説明】
【００１５】
【図１】本発明の一実施形態の室内機の斜視図である。
【図２】図１に示す室内機の内部構造を示す平面図である。
【図３】図１に示す室内機のチューブ束近傍を拡大した平面図である。
【図４】図３に示すチューブ束近傍の側面図である。
【発明を実施するための形態】
【００１６】
本発明の一実施形態の室内機について、図１〜図４を参照しながら説明する。図２は、後述する化粧板１１を取り外して室内側から見た状態を示すものである。なお、この図２では、後述する防振部材２６を省略した状態を示す。また、以下の説明では、天井と床とを結ぶ方向、すなわち、室内機の厚み方向を上下方向とする。
【００１７】
図１に示すように、本実施形態における室内機は、天井から吊下げる形式、すなわち、天井吊下型の室内機である。この室内機は、ケーシングを備え、このケーシング内に、熱交換器１２と、送風機１４と、ベルマウス１６と、複数のキャピラリーチューブ２０ａからなるチューブ束２０と、接続管２２と、液管サーミスタ２４と、防振部材２６と、分流器２８とを備える。さらに、この室内機は、ケーシング内に、熱交換器１２から生じる水滴を受けるドレンパン（図示せず）、ドレンパンに溜まった水を吸い上げて室内機外へ排出するドレンポンプ１８、室内の人の居場所を検知する人検知センサ１９、各種制御を行う電子部品が搭載された電装ユニット３０、室内から取り込む空気中の塵埃を捕捉するエアフィルター（図示せず）等を備える。
【００１８】
ケーシングは、略矩形状を呈し、天井から吊下げられる。このケーシングは、略矩形状の化粧枠１０ａと、化粧枠１０ａの四隅に取り付けられるコーナーカバー１０ｃと、化粧枠１０ａに取り付けられる４つの風向板１０ｄと、化粧枠１０ａの上部に取り付けられる天板１０ｅと、化粧枠１０ａの下部に取り付けられる化粧板１１と有する。化粧枠１０ａは、その各辺のそれぞれに、室内に向けて風を吹き出すための吹出口１０ｂを有する。各吹出口１０ｂは、それぞれが各辺の長手方向に沿った一方向に長い形状を有する。コーナーカバー１０ｃは、略Ｌ字状であり、化粧枠１０ａの四隅を覆うように当該化粧枠１０ａに取り付けられる。各風向板１０ｄは、吹出口１０ｂから吹き出す風の向きを調整するものである。風向板１０ｄは、一方向に長い形状を有し、その長手方向が吹出口１０ｂの長手方向と一致するように化粧枠１０ａに取り付けられる。この風向板１０ｄは、その長手方向の両端に回動軸を有し、この回動軸が化粧枠１０ａに取り付けられる。天板１０ｅは、化粧枠１０ａの上部に設けられた開口を覆うように当該化粧枠１０ａに取り付けられる。化粧板１１は、化粧枠１０ａの下部に設けられた開口を覆う形状を有し、その中央に設けられた吸込グリル１１ａと、吸込グリル１１ａの近傍に設けられたセンサ用開口１１ｂとを有する。吸込グリル１１ａは、室内からの風を吸い込む部分であり、センサ用開口１１ｂは、人検知センサ１９を室内に露出させるためのものである。またこの化粧板１１は、その一端側（図１における右側）の辺に設けられたヒンジ部（図示せず）を有し、このヒンジ部において化粧枠１０ａに対して回動可能に取り付けられる。具体的には、前記ヒンジ部を回動軸として、化粧板１１の他端側（図１の左側）の辺が室内側に変位するように当該化粧板１１を開くことができる。
【００１９】
熱交換器１２は、その内部を冷媒が流れており、室内から取り込まれた空気と熱交換するものである。この熱交換器１２は、図２に示すように、送風機１４を取り囲む形状を有する。具体的には、この熱交換器１２は、化粧枠１０ａの外形に沿うとともに、その両端が同一の角部（図２では右上の角部）で対向する形状を有する。また、この熱交換器１２は、その一方側（図２では下側）の端部が、前記角部の近傍に設置されたドレンポンプ１８と干渉しないように、化粧枠１０ａの内側へ折れ曲がった形状を有する。
【００２０】
送風機１４は、ケーシングの略中央に設けられており、室内から空気を取り込み、熱交換器１２に向けて風を送るものである。具体的には、この送風機１４は、吸込グリル１１ａを通じて室内から取り込まれた空気が、熱交換器１２を経由して各吹出口１０ｂから室内に吹き出されるような気流を発生させる。この送風機１４は、前記気流を発生させる形状の羽根車と、この羽根車を回転駆動させるモータとを有する。本実施形態では、このような送風機１４として、遠心送風機（ターボファン）、すなわち、下方から取り込んだ空気を側方へ送り出すことが可能なファンを用いている。なお、送風機１４としては、遠心送風機に限らず、例えば、斜流送風機等を用いることができる。
【００２１】
ベルマウス１６は、室内から取り込まれる空気を送風機１４に導くものである。具体的に、このベルマウス１６は、その中央に上下方向に解放する開口を有しており、この開口の径がケーシングの下面側から上面側に向かって次第に小さくなる形状を有する。
【００２２】
チューブ束２０は、複数のキャピラリーチューブ２０ａの束からなり、熱交換器１２と分流器２８との間に設けられる。各キャピラリーチューブ２０ａは、柔軟な管からなり、その内部を流れる冷媒を膨張させて、この冷媒の圧力を低下させるものである。図３及び図４に示すように、このチューブ束２０のうちの一つのキャピラリーチューブ２０ａは、接続管２２を介して熱交換器１２の端部と接続され、残りのキャピラリーチューブ２０ａは、それぞれが直接熱交換器１２の端部に接続される。そして、各キャピラリーチューブ２０ａにおける熱交換器１２に接続される側とは反対側の端部は、分流器２８に接続される。
【００２３】
接続管２２は、特定のキャピラリーチューブ２０ａと熱交換器１２の端部との間を接続するものであり、そこに接続されるキャピラリーチューブ２０ａよりも一回り大きな径を有する。この接続管２２は、熱交換器１２の端部と接続される第一接続部２２ａと、キャピラリーチューブ２０ａと接続される第二接続部２２ｂと、第一接続部２２ａと第二接続部２２ｂとを連結する連結部２２ｃとを有し、全体として、チューブ束２０に対して送風機１４とは反対側（図２における右上側）に凸となった形状を有する。具体的には、第一接続部２２ａは、チューブ束２０に対して送風機１４とは反対側に向かって略水平方向に延びる形状を有し、連結部２２ｃは、第一接続部２２ａの端部から起立するように略上下方向に延びる形状を有し、第二接続部２２ｂは、連結部２２ｃの端部から送風機１４に向かって延びる形状を有する。つまり、接続管２２は、連結部２２ｃがチューブ束２０に対して送風機１４とは反対側に突出する形状を有し、これにより、当該連結部２２ｃは、送風機１４によって生ずる気流においてチューブ束２０に対して風下側に位置する。なお、接続管２２としては、略上下方向に延びる形状の連結部２２ｃを含み、かつ、全体としてチューブ束２０を挟んで送風機１４とは反対側に突出する形状を有するものであれば、連結部２２ｃ以外の部分の形状は問わない。例えば、第二接続部２２ｂを省略し、連結部２２ｃとキャピラリーチューブ２０ａとが接続される形状のものであってもよい。
【００２４】
液管サーミスタ２４は、熱交換器１２へ流入する冷媒又は熱交換器１２から流出する冷媒の温度を検知するものであり、接続管２２に取り付けられる。つまり、この液管サーミスタ２４は、接続管２２内の冷媒の温度を検知する。さらに詳しくは、液管サーミスタ２４は、キャピラリーチューブ２０ａ内の通過により圧力損失が発生した後、熱交換器１２へ流入する直前の冷媒の温度、あるいは、熱交換器１２から流出してキャピラリーチューブ２０ａの通過による圧力損失が発生する直前の冷媒の温度を検知する。この液管サーミスタ２４は、一方向に長い形状を有し、その長手方向が連結部２２ｃの長手方向と一致するように当該連結部２２ｃに支持される。すなわち、連結部２２ｃが、液管サーミスタ２４を支持する「支持部」を構成する。また、液管サーミスタ２４には、必要に応じて、当該液管サーミスタ２４の周囲を覆う形状の断熱材（図示せず）が取り付けられる。
【００２５】
防振部材２６は、各キャピラリーチューブ２０ａの振動を抑制するようにチューブ束２０に取り付けられるものである。防振部材２６は、例えばゴムからなり、略矩形状を有する板状部材である。この防振部材２６は、図３及び４に示すように、チューブ束２０及び分流器２８の周囲を覆うようにこれらチューブ束２０及び分流器２８の周囲に巻き付けられる。なお、防振部材２６は、バンド等の取付部材２７を用いて取り付けられる。またこの防振部材２６は、チューブ束２０の周囲に巻き付けられた状態で、送風機１４から液管サーミスタ２４へ至る気流を遮る形状を有する。本実施形態の防振部材２６は、液管サーミスタ２４よりも前記気流の上流側に位置し、液管サーミスタ２４に近接配置される遮蔽部２６ａを有する。この遮蔽部２６ａは、液管サーミスタ２４の周囲を部分的に取り囲む形状を有する。具体的に、この遮蔽部２６ａは、第一遮蔽部２６ｂと第二遮蔽部２６ｃとからなる。第一遮蔽部２６ｂは、防振部材２６の一方側（図３では下側）の端部に位置し、接続管２２及び液管サーミスタ２４よりも十分に大きな面積を有する面を形成する。この第一遮蔽部２６ｂは、各キャピラリーチューブ２０ａにおける熱交換器１２への接続端部の振動を抑制する。図４に示すように、この第一遮蔽部２６ｂは、当該第一遮蔽部２６ｂを上下方向に二分割する切込部を有し、この切込部が、第一接続部２２ａ及び連結部２２ｃを当該防振部材の外側に位置させ、かつ、第二接続部２２ｂを当該防振部材２６の内側に位置させることを可能とする。第二遮蔽部２６ｃは、第一遮蔽部２６ｂとつながっており、接続管２２及び液管サーミスタ２４よりも十分に大きな面積を有する面を形成する。この第二遮蔽部２６ｃは、チューブ束２０の一部を覆い、この部分の振動を抑制する。これら第一遮蔽部２６ｂ及び第二遮蔽部２６ｃは、液管サーミスタ２４の周囲における前記気流の上流側を取り囲む形状を有する。本実施形態では、第一遮蔽部２６ｂ及び第二遮蔽部２６ｃは、液管サーミスタ２４から離れる方向に凸となるように折れ曲がっている。なお、防振部材２６としては、送風機１４から液管サーミスタ２４へ向かう気流を遮る形状を有していればよく、第一遮蔽部２６ｂや第二遮蔽部２６ｃは省略が可能である。
【００２６】
次に、この室内機を駆動させたときの空気の流れについて説明する。
【００２７】
送風機１４のモータが駆動されてその羽根車が回転すると、この送風機１４は、吸込グリル１１ａを通じて取り込んだ室内の空気が、熱交換器１２へ向かう気流を発生させる。この気流は、熱交換器１２を経由して各吹出口１０ｂから室内へ向かう。そして、各吹出口１０ｂから、熱交換器１２で熱交換されることにより冷やされた、あるいは、暖められた空気が吹き出す。このとき、送風機１４によって生ずる気流は、チューブ束２０や液管サーミスタ２４にも向かうが、チューブ束２０の周囲に取り付けられた防振部材２６が当該気流を遮る形状を有し、かつ、液管サーミスタ２４が前記気流における防振部材２６よりも下流側に位置するので、送風機１４から送られる風が前記液管サーミスタ２４に直接当たることが抑制される。その結果、前記液管サーミスタ２４に対する前記風の温度の影響が低下するので、当該液管サーミスタ２４の検知精度が向上する。
【００２８】
また、本実施形態の室内機の接続管２２は、前記気流における防振部材２６よりも下流側の位置で液管サーミスタ２４を支持する支持部としての連結部２２ｃを有するので、当該液管サーミスタ２４を前記気流における防振部材２６よりも下流側の位置に保持することが容易となる。
【００２９】
また、本実施形態の室内機における防振部材２６は第一遮蔽部２６ｂ及び第二遮蔽部２６ｃを有し、この第一遮蔽部２６ｂ及び第二遮蔽部２６ｃが液管サーミスタ２４の周囲における前記気流の上流側を取り囲む形状を有するので、送風機１４からの気流が液管サーミスタ２４に到達するのを一層遮ることができる。
【００３０】
また、本実施形態において、液管サーミスタ２４の周囲を覆う形状の断熱材をさらに備えれば、送風機１４から液管サーミスタ２４へ至る気流が、防振部材２６と当該断熱材とにより遮られるので、当該液管サーミスタ２４の検知精度を一層向上させることができる。
【００３１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【符号の説明】
【００３３】
１０ａ  化粧枠
１０ｂ  吹出口
１０ｃ  コーナーカバー
１０ｄ  風向板
１０ｅ  天板
１１    化粧板
１１ａ  吸込グリル
１１ｂ  センサ用開口
１２    熱交換器
１４    送風機
１６    ベルマウス
１８    ドレンポンプ
１９    人検知センサ
２０    チューブ束
２０ａ  キャピラリーチューブ
２２    接続管
２２ａ  第一接続部
２２ｂ  第二接続部
２２ｃ  連結部（支持部）
２４    液管サーミスタ
２６    防振部材
２６ａ  遮蔽部
２６ｂ  第一遮蔽部
２６ｃ  第二遮蔽部
２８    分流器
３０    電装ユニット
【図１】
0005720599.tif 000002
【図２】
0005720599.tif 000003
【図３】
0005720599.tif 000004
【図４】
0005720599.tif 000005